(57)【要約】
【課題】本考案は、本来の扇ぎ具としての機能に加えて、それ自体が装飾的な機能を発揮する団扇を提供する。
【解決手段】本考案の団扇は、表面に装飾画像を表示した団扇本体２と、この団扇本体２の外周部に折り畳み、展開可能に設けられ、展開状態で前記団扇本体２を固定面上で自立可能とするとともに把手としても機能する自立機構部３とを有することを特徴とするものである。
【選択図】図２
0003100598.tif 000002
【実用新案登録請求の範囲】
【請求項１】
　表面に装飾画像を表示した団扇本体と、
　この団扇本体の外周部に設けた団扇本体を固定面上で自立させる自立機構部と、
　を有することを特徴とする団扇。
【請求項２】
　表面に装飾画像を表示した団扇本体と、
　この団扇本体の外周部に折り畳み、展開可能に設けられ、展開状態で前記団扇本体を固定面上で自立可能とするとともに把手としても機能する自立機構部と、
　を有することを特徴とする団扇。
【請求項３】
　表面に装飾画像を表示した団扇本体と、
　この団扇本体の外周部の一部を表裏から挟み込む状態で保持する保持体と、この保持体の裏面側において一端側が回動可能に、他端側が後方に展開可能に保持されたチルト体とからなる自立機構部と、
　を有し、
　前記チルト体の後方への展開状態で前記団扇本体を固定面上で後方に傾斜させた状態に自立可能としたことを特徴とする団扇。
【請求項４】
　前記装飾画像は、各種図案、各種写真、絵画等の印刷又は描写により団扇本体の表面に付されていることを特徴とする請求項１乃至３のいずれかに記載の団扇。
【考案の詳細な説明】
【技術分野】
【０００１】
　本考案は、複数用途を具備する団扇に関し、詳しくは、扇ぎ具としての用途の他、装飾具としても好適な団扇に関するものである。
【背景技術】
【０００２】
　従来、扇ぎ具としての団扇に関して種々の提案がなされ、この中には扇ぎ具としての機能の他にその一部に装飾的な機能を持たせた団扇が存在する。
【０００３】
　例えば、特許文献１には、柄と骨とを一体に形成し、骨の部分に化粧紙を貼り付けて団扇を構成するとともに、化粧紙表面に剥離可能に紅葉形状の装飾紙を貼り付け、この装飾紙を剥がして壁等に貼付することでインテリア装飾として利用するものが提案されている。
【０００４】
　しかしながら、特許文献１の団扇の場合、化粧紙表面に貼り付けた紅葉形状の装飾紙のみを剥離してインテリア装飾として利用するものであり、団扇自体をインテリア装飾として利用するものではない。すなわち、従来においては、団扇自体をインテリア装飾として利用し得るようにしたものは存在しない。
【特許文献１】特開２００２−２０９６２０号公報
【考案の開示】
【考案が解決しようとする課題】
【０００５】
　本考案は、上記事情に鑑みてなされたものであり、本来の扇ぎ具としての機能に加えて、それ自体が装飾的な機能を発揮する新規な構成の団扇を提供することを目的とするものである。
【課題を解決するための手段】
【０００６】
　請求項１記載の考案の団扇は、表面に装飾画像を表示した団扇本体と、この団扇本体の外周部に設けた団扇本体を固定面上で自立させる自立機構部とを有することを特徴とするものである。
【０００７】
　請求項２記載の考案の団扇は、表面に装飾画像を表示した団扇本体と、この団扇本体の外周部に折り畳み、展開可能に設けられ、展開状態で前記団扇本体を固定面上で自立可能とするとともに把手としても機能する自立機構部とを有することを特徴とするものである。
【０００８】
　請求項３記載の考案の団扇は、表面に装飾画像を表示した団扇本体と、この団扇本体の外周部の一部を表裏から挟み込む状態で保持する保持体と、この保持体の裏面側において一端側が回動可能に、他端側が後方に展開可能に保持されたチルト体とからなる自立機構部とを有し、前記チルト体の後方への展開状態で前記団扇本体を固定面上で後方に傾斜させた状態に自立可能としたことを特徴とするものである。
【０００９】
　請求項４記載の考案は、請求項１乃至３のいずれかに記載の団扇において、前記装飾画像は、各種図案、各種写真、絵画等の印刷又は描写により団扇本体の表面に付されていることを特徴とするものである。
【考案の効果】
【００１０】
　本考案の団扇よれば、団扇本体を手に持って振ることで本来の扇ぎ具として機能させることができることに加えて、自立機構部を備えているので、装飾画像を表面に付した団扇本体を自立状態で室内に飾ることができ、インテリア装飾品として機能させることができる。
【００１１】
　また、団扇本体の外周部の一部を表裏から挟み込む状態にして保持する保持体と、この保持体に設けたチルト体とからなる自立機構部を備える構成とすることにより、団扇本体を固定面上で後方に安定した傾斜（チルト）状態で室内に飾ることができ、インテリア装飾品として有効に機能させることができる。
【００１２】
　更にまた、前記装飾画像は、各種図案、各種写真、絵画等の印刷又は描写により団扇本体の表面に付したものであるから、多様な装飾効果を発揮させることができる。
【考案を実施するための最良の形態】
【００１３】
　本考案の団扇は、表面に装飾画像を表示した団扇本体と、この団扇本体の外周部に折り畳み、展開可能に設けられ、展開状態で前記団扇本体を固定面上で自立可能とするとともに把手としても機能する自立機構部とを有することにより前記課題を解決するものである。
【実施例】
【００１４】
　以下に、本考案の実施例を詳細に説明する。
（実施の形態１）
　図１、図２は本考案の実施の形態１の団扇１を示すものである。
　この団扇１は、表面に、例えば、動物アニメ画像が野球のバッティングをしているような図案等の装飾画像を印刷表示した合成樹脂製の略円形プレートからなる団扇本体２と、この団扇本体２の外周の一部に、折り畳み、展開可能に設けられ、展開状態で前記団扇本体２を、図２に示すように、固定面上で自立させる自立機構部３とを有している。
【００１５】
　団扇本体２は、例えばポリエステルフィルムの等の合成樹脂材を真空成形して形成している。団扇本体２は、この他厚手の紙材、軽量の木板、金属板等を用いて形成することができる。
【００１６】
　また、団扇本体２の全体形状は、略円形とする他、楕円形状、扇形形状、四角形状等種々の形状とすることができる。
【００１７】
　更に、団扇本体２の表面の画像は、前記図案の他、各種写真、絵画等を印刷したり、描いたりすることで実現する。各種写真、絵画等としては、企業広告のための製品写真やイメージ図形、自然物、動物等の写真や絵画、装飾文字等を挙げることができる。
【００１８】
　前記自立機構部３は、団扇本体２の外周の一部（下部）に、接着等の手段により折り畳み、展開可能に取り付けている。
　すなわち、自立機構部３は、例えば、図３に示すように、団扇本体２の表面下部から外周端を経て裏面側に至る配置で可撓性合成樹脂板の一体成形からなる表面固定片４ａ、底片４ｂ及び回動片４ｃを配置し、表面固定片４ａ、底片４ｂを団扇本体２の表面下部、外周端に例えば接着剤にて各々接着している。更に、前記底片４ｂと回動片４ｃとの間に形成したヒンジ部４ｄにより、回動片４ｃを団扇本体２の裏面に接触する位置に折り畳み、この裏面から９０度展開し、更には裏面から１８０度展開可能としている。
【００１９】
　本実施の形態１の団扇１は、例えば野球場での野球観戦時に、この団扇１を手に持ち振って贔屓球団を応援することができる。
【００２０】
　この場合、団扇１の持ち方としては、図１に示すように前記回動片４ｃを団扇本体２の裏面に接触する位置に折り畳んだ状態で、この団扇１自体を持つか、又は、図３の右欄に示すように前記回動片４ｃを団扇本体２の裏面から１８０度展開し、この回動片４ｃを把手として手に持つ。
【００２１】
　また、野球観戦終了時には、前記回動片４ｃを団扇本体２の裏面に接触する位置に折り畳んで野球観戦の土産として自宅に持ち帰り、前記回動片４ｃを図３の中欄に示すように裏面から９０度展開して、図２に示すように例えばテレビジョン受像機５の上面等の固定面上に自立状態で置き、インテリア装飾品として飾る。
【００２２】
　本実施の形態１の団扇１によれば、本来の扇ぎ具として機能させることができることに加えて、動物アニメ画像が野球のバッティングをしているような図案等の装飾画像を表面に付した団扇本体２を自立状態で室内に飾ることで、インテリア装飾品として機能させることができる。
【００２３】
（実施の形態２）
　図４乃至図１０は、本考案の実施の形態２の団扇１Ａの構成を示すものである。
　本実施の形態２の団扇１Ａは、既述した実施の形態１と同様、表面に装飾画像を表示する例えば図６に示す直径Ｄが２０ｃｍ程度の円形の団扇本体３０と、この団扇本体３０の外周部の一部を表裏から挟み込む状態で保持する保持体３２と、この保持体３２の裏面側において一端側が回動可能に保持され、他端側が後方に展開可能に保持されたチルト体３３とからなる自立機構部３１とを有している。
【００２４】
　ここで、自立機構部３１について図７乃至図１０をも参照して詳述する。
　自立機構部３１の保持体３２は、団扇本体３０の外周部の一部を表裏から挟み込む表面保持部４１と裏面保持部４２とを直線状で中間に空間を有する連結部４３により開閉可能に連結した構造となっている。
【００２５】
　表面保持部４１の上辺４１ａ及び裏面保持部４２の上辺４２ａは各々円弧状に形成されている。また、表面保持部４１の表面側には弧状帯形状を呈する宣伝文字等を表示するためのロゴ表示部４８が形成されている。また、表面保持部４１の下辺４１ｂ及び裏面保持部４２の下辺４２ｂの一方の隅部には、対応配置に吊下紐用の孔４５を有する吊下用突部４４が形成されている。
【００２６】
　更に、表面保持部４１の上辺４１ａには、両隅近傍及び中央に位置して合計３個の係合突起４６ａ、４６ｂ、４６ｃが図７において紙面裏側に突出する状態で設けられている。前記裏面保持部４２には、前記３個の係合突起４６ａ、４６ｂ、４６ｃに対応する配置、形状で係合受穴４７ａ、４７ｂ、４７ｃが設けられている。
【００２７】
　この保持体３２により団扇本体３０の外周部の一部を表裏から挟み込む場合には、団扇本体３０に予め設けた３個の係合突起４６ａ、４６ｂ、４６ｃに対応する配置の抜穴（図示せず）に対して、これら３個の係合突起４６ａ、４６ｂ、４６ｃを挿通し、裏面保持部４２により団扇本体３０を挟み込み、３個の係合突起４６ａ、４６ｂ、４６ｃを各々係合受穴４７ａ、４７ｂ、４７ｃに係合させて、団扇本体３０を挟み込むものである。
【００２８】
　なお、図７、図８中、４９は団扇本体３０用の弧状位置決め部である。
　前記裏面保持部４２の外面には、更に、図９、図１０に示すチルト体３３を展開可能に保持するチルト体受部５１がチルト体３３の形状に対応する凹陥形状となるように形成されている。
【００２９】
　このチルト体３３は、薄板状で全体として中央連結部分を細幅とした略句形状を呈するとともに、図９において下部両端に装着用係合部３４ａ、３４ｂを有し、上部両端に半円弧状の端縁を有する脚辺３５ａ、３５ｂを有している。なお、図９中の３４ｃは位置決め突起である。
【００３０】
　チルト体受部５１には、チルト体３３の形状に対応して、装着用係合部３４ａ、３４ｂが装着される装着受部５２ａ、５２ｂと、前記半円弧状の端縁を有する脚辺３５ａ、３５ｂを収容するための脚辺収容部５３ａ、５３ｂとが形成されている。
【００３１】
　そして、チルト体３３の装着用係合部３４ａ、３４ｂを、チルト体受部５１の装着受部５２ａ、５２ｂに装着し、チルト体３３を図４に示す収容状態と、図５に示す展開状態（例えば団扇本体３０を保持体３２により保持し後方にチルト角度７５度で傾斜させた状態）とにわたって回動させることが可能な構成となっている。
【００３２】
　本実施の形態２の団扇１Ａによれば、例えば自立機構部３１により保持した団扇１Ａ自体を手に持ち、振ることで団扇機能に加えて野球の贔屓球団を応援することができる。
【００３３】
　また、野球観戦終了時には、野球観戦の土産として自宅に持ち帰り、前記自立機構部３１のチルト体３３を図５に示すように展開状態として例えばテレビジョン受像機５の上面等の固定面上に置くことで、表面に装飾画像を表示した団扇１Ａを安定した傾斜状態で起立させることができ、インテリア装飾品として飾り楽しむことができる。
【００３４】
　更にまた、表面保持部４１の表面側に前記ロゴ表示部４８が形成されているので、このロゴ表示部４８に各種の宣伝文字等をロゴ表示しておくことで、宣伝広告効果を発揮させることができる。
【００３５】
　なお、本考案における自立機構部としては、上述した場合の他、前記団扇本体２とは別体とした自立用スタンドを用いてもよい。
【産業上の利用可能性】
【００３６】
　本考案は、扇ぎ具としての用途の他、装飾具としても好適な団扇であり、インテリア装飾品として多様な装飾効果を発揮させることができる。
【図面の簡単な説明】
【００３７】
【図１】本考案の実施の形態１の団扇の正面図である。
【図２】本考案の実施の形態１の団扇の自立状態の斜視図である。
【図３】本考案の実施の形態１の団扇の自立機構部の説明図である。
【図４】本考案の実施の形態２の団扇の側面図である。
【図５】本考案の実施の形態２の団扇のチルトさせた自立状態の側面図である。
【図６】本考案の実施の形態２の団扇の正面図である。
【図７】本考案の実施の形態２の団扇における保持体の開状態の平面図である。
【図８】本考案の実施の形態２の団扇における保持体の開状態の部分拡大断面図である。
【図９】本考案の実施の形態２の団扇におけるチルト体の正面図である。
【図１０】本考案の実施の形態２の団扇におけるチルト体の側面図である。
【符号の説明】
【００３８】
　　１　　団扇
　　１Ａ　団扇
　　２　　団扇本体
　　３　　自立機構部
　　４ａ　表面固定片
　　４ｂ　底片
　　４ｃ　回動片
　　４ｄ　ヒンジ部
　３０　　団扇本体
　３１　　自立機構部
　３２　　保持体
　３３　　チルト体
　３４ａ、３４ｂ　装着用係合部
　３５ａ、３５ｂ　脚辺
　４１　　表面保持部
　４１ａ　上辺
　４１ｂ　下辺
　４２　　裏面保持部
　４２ａ　上辺
　４２ｂ　下辺
　４３　　連結部
　４４　　吊下用突部
　４５　　孔
　４６ａ、４６ｂ、４６ｃ　係合突起
　４７ａ、４７ｂ、４７ｃ　係合受穴
　４８　　ロゴ表示部
　５１　　チルト体受部
　５２ａ、５２ｂ　装着受部
　５３ａ、５３ｂ　脚辺収容部
【図１】
0003100598.tif 000003
【図２】
0003100598.tif 000004
【図３】
0003100598.tif 000005
【図４】
0003100598.tif 000006
【図５】
0003100598.tif 000007
【図６】
0003100598.tif 000008
【図７】
0003100598.tif 000009
【図８】
0003100598.tif 000010
【図９】
0003100598.tif 000011
【図１０】
0003100598.tif 000012